(57)【要約】【課題】  索条に設けた保持部をスラットに保持したままでシャッター本体を全開しても、そのスラットに凹み等の変形が生じないようにしたシャッターとする。【解決手段】  シャッター枠１０に沿って昇降するシャッター本体２０の下部に索条３０を連結し、この索条３０に設けた保持部４０をシャッター本体２０のスラット２１に吸着して保持するようにしたシャッターにおいて、前記スラット２１は、縦板２３と上下の連結部２５を有する板状で、前記保持部４０の外周面４０ｂは、その保持面４０ａを縦板２３に吸着して保持した時に縦板２３の上下端部とほぼ同一位置となる大きさで、保持部４０をスラット２１の縦板２３に吸着して保持したままでシャッター本体２０を全開した時に、そのスラットに凹み等の変形が生じることがないようにしたシャッター。【選択図】  図３
2005082993.tif 000002
【特許請求の範囲】
【請求項１】
シャッター枠と、このシャッター枠に沿って昇降する複数のスラットを連結したシャッター本体と、このシャッター本体の下部寄りに取付けた索条と、この索条に設けられシャッター本体の１つのスラットに保持する保持部を備えたシャッターであって、
前記スラットは、縦板と上下の連結部を有する板状で、
前記保持部は、その保持面がスラットの縦板に吸着して保持され、その外周面の大きさは、その保持面が縦板に吸着保持された状態で、その外周面が縦板の上下端部とほぼ同一位置となる大きさであることを特徴とするシャッター。
【請求項２】
保持部は、その外周面が円形状で、その直径がスラットの縦板上下寸法とほぼ同一である請求項１記載のシャッター。
【請求項３】
保持部は、その外周面が多角形状で、その対向した２面間の寸法の最も小さい寸法が、スラットの縦板上下寸法とほぼ同一である請求項１記載のシャッター。
【請求項４】
保持部は、その外周面が長円形状で、その短軸方向の寸法が、スラットの縦板上下寸法とほぼ同一である請求項１記載のシャッター。
【発明の詳細な説明】
【技術分野】
【０００１】
本発明は、建物開口部に設けられるシャッターに関する。
【背景技術】
【０００２】
特許文献１に開示されたように、シャッター枠と、このシャッター枠に沿って昇降すると共に、巻き取り、繰り出しされるシャッター本体と、このシャッター本体の縁板に取付けたチェーンと、このチェーンの一方の自由端末部に固着したマグネットを備えたシャッターが知られている。
特許文献２に開示されたように、シャッター枠と、このシャッター枠に沿って昇降すると共に、巻き取り、繰り出しされるシャッター本体と、このシャッター本体の端板部とシャッター枠の下枠に亘って取付けた錠と、この錠に一端が連結された紐と、この紐の他端に連結した磁石付きの摘みを備えたシャッターが知られている。
【０００３】
前述の各シャッターであれば、シャッター本体を下降して閉塞した状態で、前記マグネット、磁石付きの摘み（以下保持部という）をシャッター本体の１つの鈑、スラット（以下スラットという）に吸着することでチェーン、紐（以下索条という）を保持する。
前述の状態からシャッター本体を開放する場合には、保持部をスラットから外して索条を持って引き上げることでシャッター本体を上昇し、ある程度の高さまで上昇したら、シャッター本体を押し上げて開放状態とする。
この開放状態においては、索条がシャッター本体よりも下方に垂れ下がっている。
前述の状態からシャッター本体を閉じる場合には、索条を持って引き下げることでシャッター本体を下降する。
【０００４】
前述のようであるから、特許文献１、特許文献２に開示されたシャッターは、索条を持って引き上げ、引き下げることでシャッター本体を上昇、下降して開閉できるから、そのシャッター本体の開閉操作が容易である。
なお、特許文献２に開示されたシャッターは、索条を引き上げることで錠が解錠されるので、シャッター本体の開閉操作がより容易である。
【０００５】
【特許文献１】実公昭５８−１３０３５号公報
【特許文献２】特開２００１−７３６１０号公報
【発明の開示】
【発明が解決しようとする課題】
【０００６】
前述した各従来のシャッターにおいては、スラットが板状であると、そのスラットに保持部を保持したままの状態でシャッター本体を全開すると、そのスラットに保持部によって凹みなどの変形が生じることがある。
例えば、図７に示すようにシャッター本体１を構成するスラット２が、縦板３と、この縦板３の上下部と連続した上下の横片４と、この上下の横片４と連結した上下の連結部５によって板状で、かつ断面ほぼコ字形状で、索条６に設けた保持部７を縦板３に保持した場合に、その保持部７の上下一方と縦板３の上下端部の一方とが離隔すると、シャッター本体１を巻取り軸に巻き取って全開した状態で、図８に示すように保持部７が他のスラット２の連結部５に押しつけられ、保持部７を保持したスラット２の縦板３が、その保持部７を保持していない部分３ａと保持している部分３ｂの境目から折り曲げようとする力が作用し、その境目部分に凹み等の変形が生じることがある。
【０００７】
本発明は、前述の課題に鑑みなされたものであって、その目的は、板状のスラットに索条の保持部を保持したままの状態でシャッター本体を全開しても、そのスラットに凹み等の変形が生じることがないようにしたシャッターを提供することである。
【課題を解決するための手段】
【０００８】
第１の発明は、シャッター枠と、このシャッター枠に沿って昇降する複数のスラットを連結したシャッター本体と、このシャッター本体の下部寄りに取付けた索条と、この索条に設けられシャッター本体の１つのスラットに保持する保持部を備えたシャッターであって、
前記スラットは、縦板と上下の連結部を有する板状で、
前記保持部は、その保持面がスラットの縦板に吸着して保持され、その外周面の大きさは、その保持面が縦板に吸着保持された状態で、その外周面が縦板の上下端部とほぼ同一位置となる大きさであることを特徴とするシャッターである。
【０００９】
第２の発明は、第１の発明において保持部は、その外周面が円形状で、その直径がスラットの縦板上下寸法とほぼ同一であるシャッターである。
【００１０】
第３の発明は、第１の発明において保持部は、その外周面が多角形状で、その対向した２面間の寸法の最も小さい寸法が、スラットの縦板上下寸法とほぼ同一であるシャッターである。
【００１１】
第４の発明は、第１の発明において保持部は、その外周面が長円形状で、その短軸方向の寸法が、スラットの縦板上下寸法とほぼ同一であるシャッターである。
【発明の効果】
【００１２】
請求項１に係る発明によれば、索条に設けた保持部をスラットの縦板に吸着支持することで、その保持部の外周面が必ず縦板の上下端部とほぼ同一位置となる。
よって、スラットの縦板に索条の保持部を保持したままの状態でシャッター本体を全開しても、その縦板に折り曲げようとする力が作用しないので、凹み等の変形が生じることがない。
【００１３】
請求項２に係る発明によれば、保持部の外周面が円形状で、その直径がスラットの縦板の上下寸法とほぼ同一であるから、その保持部をスラットの縦板に吸着支持することで、その保持部の外周面がスラットの縦板の上下端部とほぼ同一位置となる。
よって、保持部を、その姿勢を考えずにただ単に吸着面をスラットの縦板に吸着して支持すれば良く、その操作が容易である。
【００１４】
請求項３に係る発明によれば、保持部の外周面が多角形状で、その対向した２面間の寸法における最も小さい寸法がスラットの縦板上下寸法とほぼ同一であるから、その保持部の保持面をスラットの縦板に吸着して支持できるのは、最も小さい寸法の２面が縦板の上下に向かう姿勢に限られ、他の２面が縦板の上下に向かう姿勢の場合には上下の連結部に干渉して縦板に吸着して支持できない。
よって、保持部をスラットの縦板に吸着して保持すれば、その保持部の外周面がスラットの縦板の上下端部と必ずほぼ同一位置となるから、保持部をスラットに吸着して支持したままでシャッター本体を全開した時に、そのスラットに凹み等の変形が生じることを確実に防止できる。
【００１５】
請求項４に係る発明によれば、保持部の外周面が長円形状で、その短軸方向の寸法がスラットの縦板の上下寸法とほぼ同一であるから、その保持部をスラットの縦板に吸着して支持できるのは、短軸方向が上下方向に向かう姿勢のみで、他の姿勢ではスラットの縦板に吸着して支持できない。
よって、保持部をスラットの縦板に吸着して保持すれば、その保持部の外周面がスラットの縦板の上下端部に必ずほぼ同一位置となるから、保持部をスラットに吸着して保持したままでシャッター本体を全開した時に、そのスラットに凹み等の変形が生じることを確実に防止できる。
【発明を実施するための最良の形態】
【００１６】
図１に示すように、シャッター枠１０と、このシャッター枠１０に沿って昇降するシャッター本体２０と、このシャッター本体２０の下部寄りに一端部を連結した索条３０と、この索条３０の他端部に連結した保持部４０でシャッターを構成している。
この実施の形態では、シャッター枠１０は図１、図２に示すように、左右の縦枠１１，１１と、下枠１２と、上枠１３と、シャッターケース１４を備え、そのシャッターケース１４は開閉自在な前面板１５を有する。このシャッター枠１０はサッシ枠と兼用としてある。なお、シャッター枠１０とサッシ枠は別体であっても良い。
前記シャッターケース１４内に巻取り軸１６が回転自在に取付けられて前記シャッター本体２０を巻き取り、繰り出しする巻取り繰出し部を形成している。
【００１７】
この実施の形態では、シャッター本体２０は図１と図２に示すように、複数のスラット２１を連結し、その最下部のスラット２１に座板２２に取付けたもので、その座板２２に索条３０の一端部が連結してある。
前記スラット２１は図３に示すように、幅広く長尺な縦板２３と、この縦板２３の上下端部と連続した上下の横片２４と、この上下の横片２４と連続した上下の連結部２５によって板状で、かつ断面ほぼコ字形状である。この実施の形態では、上下の連結部２５は相互に揺動自在に連結される断面ほぼ円形状である。なお、縦板２３に上下の連結部２５を設けて板状のスラットとしても良い。
【００１８】
前記索条３０は紐やチェーンなどで、その一端部に取付片３１が設けてあり、その取付片３１が座板２２にビス等で固着される。
前記保持部４０は、その保持面４０ａがスラット２１の縦板２３に吸着保持され、その外周面４０ｂの大きさは、その保持面４０ａが縦板２３に吸着保持された状態で、その外周面４０ｂが縦板２３の上下端部とほぼ同一位置、好ましくは同一位置である大きさである。
これによって、上下の横片２４が保持部４０の外周面４０ｂに微小の隙間を置いて対向、好ましくは接触する。
また、保持部４０の厚さ（保持面４０ａと、その反対側面４０ｃとの間の寸法）はスラット２１の凹部の深さ（縦板２３から連結部２５までの寸法）とほぼ同一であることが好ましい。
【００１９】
このようであるから、保持部４０の保持面４０ａをスラット２１の縦板２３に吸着保持した状態では、図４、図５に示すように保持部４０の外周面４０ｂがスラット２１の縦板２３の上下端部とほぼ同一位置で、上下の横片２４と接する。
よって、保持部４０をスラット２１の縦板２３に保持した状態でシャッター本体２０を全開した時に、図５に示すように保持部４０が他のスラット２１（縦板２３、連結部２５）に押しつけられるが、その保持部４０の保持面４０ａがスラット２１の縦板２３における上下方向全域に亘って吸着して保持されているので、スラット２１の縦板２３が押しつけ力で折り曲げようとする力が作用しないから、凹み等の変形が生じることがない。
【００２０】
次に、前記保持部４０の具体形状を説明する。
図３に示すように、保持部４０は、その外周面４０ｂが円形の円板状で、その直径がスラット２１の上下の横片２４間の寸法、つまり縦板２３の上下寸法とほぼ同一、好ましくは同一である。
よって、保持部４０は、３６０度任意の回転角だけ回転した姿勢で保持面４０ａをスラット２１の縦板２３に吸着して保持しても、その外周面４０ｂが縦板２３の上下端部とほぼ同一位置で、同一位置の時には上下の横片２４に接する。
【００２１】
図３に示す実施の形態では、保持部４０は摘み４１と、磁石４２を備え、その摘み４１が円板状で、その保持面４１ａに凹陥部４３が形成され、その凹陥部４３に前述の磁石４２が取付けられ、この磁石４２で摘み４１を吸着保持するようにしてある。
前記摘み４１には保持面４１ａと反対側面４０ｃに貫通した段付穴４４が形成され、この段付穴４４は保持面４１ａに開口した側が大径である。
この段付穴４４の小径側から索条３０の他端部を挿通して結び目３２を形成し、この結び目３２を段付穴４４の大径側に押し込むことで連結する。
このようにすることで、索条３０と摘み４１を連結できるし、その索条３０の他端部（結び目３２）が保持面４１ａから突出しないから、保持面４１ａをスラット２１の縦板２３に隙間なく密着して吸着することができる。
なお、磁石４２を摘み４１と同一大きさとすると共に、段付穴４４を形成し、その磁石４２を索条３０に連結することで、磁石４２自体で保持部としても良い。
【００２２】
前記保持部４０は図６（ａ）に示すように外周面４０ｂが多角形状、図６（ｂ）に示すように長円形状等でも良い。
前述の外周面４０ｂが多角形状の場合には、その対向した２面間の寸法における最も小さい寸法Ｈ１が、スラット２１の上下の横片２４間の寸法（縦板２３の上下寸法）とほぼ同一、好ましくは同一である。
このようにすることで、その保持部４０は対向した２面間の寸法における最も小さい寸法の２面が上下の横片２４に向かう姿勢としてのみ保持することができ、他の対向した２面が上下の横片２４に向かう姿勢とした場合にはスラット２１の縦板２３に吸着して保持できない。
【００２３】
前述の外周面４０ｂが長円形状の場合には、その短軸方向の寸法Ｌ１がスラット２１の上下の横片２４間の寸法（縦板２３の上下寸法）とほぼ同一、好ましくは同一である。
このようにすることで、その保持部４０は短軸方向を上下の横片２４に向かう姿勢としてのみ縦板２３に吸着して保持でき、長軸方向を上下の横片２４に向かう姿勢とした場合には上下の横片２４（連結部２５）と干渉するから縦板２３に吸着して保持できない。
【図面の簡単な説明】
【００２４】
【図１】本発明の実施の形態を示すシャッターの概略斜視図である。
【図２】シャッターの縦断面図である。
【図３】スラットと索条と保持部の分解した斜視図である。
【図４】保持部を保持した状態のシャッター本体の一部斜視図である。
【図５】スラットに保持部を保持した状態で全開した場合の保持部の部分の正面図である。
【図６】保持部の他の実施の形態を示す正面図である。
【図７】従来の保持部をスラットに保持した状態のシャッター本体の一部斜視図である。
【図８】従来の保持部をスラットに保持したまま全開した状態の保持部の部分の正面図である。
【符号の説明】
【００２５】
１０…シャッター枠、２０…シャッター本体、２１…スラット、２３…縦板、２５…上下の連結部、３０…索条、４０…保持部、４０ａ…保持面、４０ｂ…外周面。
【図１】
2005082993.tif 000003
【図２】
2005082993.tif 000004
【図３】
2005082993.tif 000005
【図４】
2005082993.tif 000006
【図５】
2005082993.tif 000007
【図６】
2005082993.tif 000008
【図７】
2005082993.tif 000009
【図８】
2005082993.tif 000010